(57)【要約】【課題】部品点数が少なく、製造および組み付けが簡単な低コストの伸縮ポールを得る。【解決手段】伸縮ポール１は、円弧弦部分４および円弧状部分５を有する異形内面を設けた第１支柱部分２と、第２支柱部分３と、ねじ軌条部９、中間フランジ１０を有する中間ねじ無し部１１を有し、第２支柱部分３に固着する軸体７と、中間ねじ無し部１１に挿嵌するテーパ外面付きスリーブ１２と、ねじ軌条部９に螺合する作用ナット１３と、作用ナットの拡大ヘッド１４とナットフランジ１５との間の環状窪み１７に嵌合する内向きフランジ１８を有し、第１支柱部分の異形内面に適合する外側輪郭を有し、テーパ付きスリーブの外面１２Ａに対して摺動係合する、複数個の分割グリップ細条１６とを備える。【選択図】図１
2011169412.tif 000002
【特許請求の範囲】
【請求項１】
互いに抜き差し嵌合する第１支柱部分および第２支柱部分よりなる少なくとも１対の支柱部分対を有する伸縮ポールにおいて、
横断面で見て、円形内面における少なくとも１箇所の円弧部分の端部相互を直線的に結ぶ円弧弦部分およびこの円弧弦部分に隣接する少なくとも１個の円弧状部分を有する異形内面を設けた中空の第１支柱部分と、
前記第１支柱部分に対して一方の端部を抜き差し可能に嵌合し、前記一方の端部を閉鎖する閉鎖部を設けた第２支柱部分と、
前記第２支柱部分の前記閉鎖部に固着する円柱状の軸体であって、前記第２支柱部分の端部の前記閉鎖部に固着部、この固着部とは反対側の端部におけるねじ軌条部、および前記固着部と前記ねじ軌条部との間で半径方向外方に突出する中間フランジを有する中間ねじ無し部を有する、該軸体と、
テーパ付き外面を有するスリーブであって、前記軸体の固着部側端部から前記中間フランジに向かって前記中間ねじ無し部の周りに遊嵌し、この状態で前記軸体を前記第２支柱部分の閉鎖部に固着することにより前記軸体の中間フランジと前記第２支柱部分の端面との間で軸体の周りに回転可能であるが軸線方向の移動を制限される、該テーパ付きスリーブと、
前記軸体の前記ねじ軌条部に螺合する作用ナットであって、前記軸体におけるねじ軌条部の遊端側の端部に、前記第１支柱部分の異形内面に相似形の外面を有して前記第１支柱部分の内面に対し僅かなクリアランスで嵌合する拡大ヘッドを有し、前記軸体における前記中間フランジに対面する側の端部に拡大ヘッドよりも小径の半径方向に突出するナットフランジを有する、該作用ナットと、
前記作用ナットの前記拡大ヘッドと前記ナットフランジとの間の環状窪みに嵌合する内向きフランジを有し、少なくとも両側の端部の外面に、前記第１支柱部分の異形内面に適合し、前記異形内面の円弧弦部分および円弧状部分の双方の一部に跨がる形状の外側輪郭を有し、前記内向きフランジとは反対側の端部の内面が前記テーパ付きスリーブの外面に対して摺動係合する、複数個の分割グリップ細条と
を備えたことを特徴とする伸縮ポール。
【請求項２】
前記軸体のねじ軌条部は、複数軌条のねじとした請求項１記載の伸縮ポール。
【請求項３】
前記軸体のねじ軌条部は、４条〜８条の複数軌条ねじとした請求項１または２記載の伸縮ポール。
【請求項４】
前記円弧弦部分は、等角度ピッチ毎に複数個設けた請求項１〜３のうちいずれか一項に記載の伸縮ポール。
【請求項５】
前記円弧弦部分は、９０゜の角度ピッチ毎に４個設けた請求項４記載の伸縮ポール。
【請求項６】
前記第１支柱部分の一方の端部を閉鎖部付きの閉鎖端部とし、前記第２支柱部分にも、少なくとも部分的に前記第１支柱部分と同様の異形内面を設けた請求項１〜５のうちいずれか一項に記載の伸縮ポール。
【発明の詳細な説明】
【技術分野】
【０００１】
本発明は、互いに抜き差し嵌合する第１支柱部分および第２支柱部分よりなる少なくとも１対の支柱部分対を有する伸縮ポールに関する。
【背景技術】
【０００２】
このような伸縮（スライド）ポールとしては、例えば、本願人の先願である特許文献１（実開平１−９５７０１）に記載されているものがある。
【０００３】
特許文献１に記載の伸縮（スライド）ポールは、大径の管柱、すなわち第１支柱部分内に嵌合する、中径の管柱、すなわち第２支柱部分の端部に角軸部１１を有する真棒部７を嵌挿する。
【０００４】
角軸部１１には、それぞれ角孔を設けた第１および第２の滑り止めカラー部１２，１３、第１および第２の締め付けカラー部１７，１９、金属カラー部１４を嵌挿し、座金２０を介して押さえねじ２０ａによりこれら嵌挿した部材を固定する。
【０００５】
第１および第２の締め付けカラー部１７，１９における角孔の中心軸線は、第１および第２の締め付けカラー部１７，１９の軸線に対して偏心させて形成する。また第１および第２の締め付けカラー部１７，１９は、互いに角度をずらして角軸部１１に嵌挿する。
【０００６】
このような構成において、第２支柱部分を第１支柱部分に対して任意の伸縮位置でねじ込むと、第２支柱部分に固定した第１および第２の締め付けカラー部１７，１９が、第１支柱部分の内面に強く圧着し、この伸縮位置でロックを生ずる。
【先行技術文献】
【特許文献】
【０００７】
【特許文献１】実開平１−９５７０１号公報
【発明の概要】
【発明が解決しようとする課題】
【０００８】
しかし、従来のこの伸縮ポールは、部品点数が多く、また第１および第２の締め付けカラー部１７，１９における周面の一部のみが第１支柱部分の内面に圧着するだけであるため、十分大きな荷重支持能力が得られない。
【０００９】
したがって、本発明の目的は、部品点数が少なく、製造および組み付けが簡単であり、荷重支持能力の高い伸縮ポールを得るにある。
【課題を解決するための手段】
【００１０】
この目的を達成するため、本発明伸縮ポールは、互いに抜き差し嵌合する第１支柱部分および第２支柱部分よりなる少なくとも１対の支柱部分対を有する伸縮ポールにおいて、
横断面で見て、円形内面における少なくとも１箇所の円弧部分の端部相互を直線的に結ぶ円弧弦部分およびこの円弧弦部分に隣接する少なくとも１個の円弧状部分を有する異形内面を設けた中空の第１支柱部分と、
前記第１支柱部分に対して一方の端部を抜き差し可能に嵌合し、前記一方の端部を閉鎖する閉鎖部を設けた第２支柱部分と、
前記第２支柱部分の前記閉鎖部に固着する円柱状の軸体であって、前記第２支柱部分の端部の前記閉鎖部に固着する固着部、この固着部とは反対側の端部におけるねじ軌条部、および前記固着部と前記ねじ軌条部との間で半径方向外方に突出する中間フランジを有する中間ねじ無し部を有する、該軸体と、
テーパ付き外面を有するスリーブであって、前記軸体の固着部側端部から前記中間フランジに向かって前記中間ねじ無し部の周りに遊嵌し、この状態で前記軸体を前記第２支柱部分の閉鎖部に固着することにより前記軸体の中間フランジと前記第２支柱部分の端面との間で軸体の周りに回転可能であるが軸線方向の移動を制限される、該テーパ付きスリーブと、
前記軸体の前記ねじ軌条部に螺合する作用ナットであって、前記軸体におけるねじ軌条部の遊端側の端部に、前記第１支柱部分の異形内面に相似形の外面を有して前記第１支柱部分の内面に対し僅かなクリアランスで嵌合する拡大ヘッドを有し、前記軸体における前記中間フランジに対面する側の端部に拡大ヘッドよりも小径の半径方向に突出するナットフランジを有する、該作用ナットと、
前記作用ナットの前記拡大ヘッドと前記ナットフランジとの間の環状窪みに嵌合する内向きフランジを有し、少なくとも両側の端部の外面に、前記第１支柱部分の異形内面に適合し、前記異形内面の円弧状部分および円弧弦部分の双方の一部に跨がる形状の外側輪郭を有し、前記内向きフランジとは反対側の端部の内面が前記テーパ付きスリーブの外面に対して摺動係合する、複数個の分割グリップ細条と
を備えたことを特徴とする。
【発明の効果】
【００１１】
本発明によれば、従来技術のようなテーパボルト部およびテーパナット部を設けることなく、単なるストレートな円柱状の軸体とすることができる。
またこの軸体には、固着部とは反対側の端部における、テーパ状ではなくストレートなねじ軌条部、および固着部とねじ軌条部との間で半径方向外方に突出する中間フランジを有する中間ねじ無し部を設け、軸体のねじ軌条部には、シンプルな異形内面を有する第１支柱部分内でシンプルな異形外面を有する作用ナットを螺合させるだけで済む。
また、軸体の中間ねじ無し部にはテーパ付き外面を有する単なるスリーブを装着し、テーパ付きスリーブの外面に対して摺動係合する、複数個の分割グリップ細条を設けるだけで済む。
この簡単な構成により、第２支柱部分を第１支柱部分に対して任意の伸縮位置で回転すると、作用ナットが軸体のねじ軌条部沿ってテーパ付きスリーブの方向に並進移動し、これにより、作用ナットの拡大ヘッドが分割グリップ細条をスリーブのテーパ付き外面に沿って拡開方向に押圧し、このとき分割グリップ細条は、半径方向外方に指向する力を受けて第１支柱部分の内面に圧着し、したがって、この任意の伸縮位置で両支柱部分をロックすることができる。
【００１２】
好適な実施形態においては、軸体のねじ軌条部は、４条〜８条の複数軌条ねじとする。この構成によれば、作用ナットの並進移動が迅速かつ円滑になる。
また円弧弦部分は、等角度ピッチ毎に複数個、好適には、９０゜の角度ピッチ毎に４個設ける。この構成によれば、組み付けの際の整列が容易になる。
さらに好適には、第１支柱部分の一方の端部を閉鎖部付きの閉鎖端部とし、前記第２支柱部分にも、少なくとも部分的に前記第１支柱部分と同様の異形内面を設ける。この構成によれば、第１支柱部分および第２支柱部分の対を１対以上設けることにより、それぞれ長さが長い支柱部分を使用することなく、複数対を順次継ぎ足して、長い伸縮ポールにすることができる。
以下に図面につき、本発明の好適な実施形態を説明する。
【図面の簡単な説明】
【００１３】
【図１】本発明による伸縮ポールの好適な一実施形態の分解斜視図である。
【図２】図１に示す伸縮ポールの第１支柱部分および第２支柱部分を組み付けた状態の側面図である。
【図３】図２におけるＡ−Ａ線上の縦断面図である。
【図４】図３におけるＢの方向から見た端面図である。
【図５】図３におけるＣの方向から見た端面図である。
【図６】本発明による伸縮ポールの好適な第２の実施形態における分解斜視図である。
【図７】図６の分解斜視図をさらに分解した状態を示す分解斜視図である。
【図８】図６および図７の実施形態の組み立て状態でのロック解除状態を示し、（ａ）は側面図、（ｂ）は（ａ）におけるＩ−Ｉ線上でＡの方向に見た縦断面図、（ｃ）は（ａ）におけるＩ−Ｉ線上でＢの方向に見た縦断面図である。
【図９】図６および図７の実施形態の組み立て状態でのロックを行う中間段階の状態を示し、（ａ）は側面図、（ｂ）は（ａ）におけるＩ−Ｉ線上でＡの方向に見た縦断面図、（ｃ）は（ａ）におけるＩ−Ｉ線上でＢの方向に見た縦断面図である。
【図１０】図６および図７の実施形態の組み立て状態でのロック状態を示し、（ａ）は側面図、（ｂ）は（ａ）におけるＩ−Ｉ線上でＡの方向に見た縦断面図、（ｃ）は（ａ）におけるＩ−Ｉ線上でＢの方向に見た縦断面図である。
【発明を実施するための形態】
【００１４】
図１に本発明による好適な実施形態である伸縮ポール１の分解斜視図を示す。この実施形態の伸縮ポール１は、互いに抜き差し嵌合する第１支柱部分２および第２支柱部分３よりなる少なくとも１対の支柱部分対を有する。図面では、短い第１支柱部分２および第２支柱部分３を示したが、実際は、長さが図示のものより長いものとする。
【００１５】
第１支柱部分２は、横断面で見て、円形内面における少なくとも１箇所の円弧部分の端部相互を直線的に結ぶ円弧弦部分４およびこの円弧弦部分４に隣接する少なくとも１個の円弧状部分５を有する異形内面を設けた外面が円筒形の中空体とする。
【００１６】
図示の実施形態においては、円弧弦部分４を、第１支柱部分２の内面の周方向に、９０゜の角度ピッチ毎に４個設けたが（図４参照）、９０゜以外の角度のピッチ毎に複数個設けることもできる。
【００１７】
第１支柱部分２に対して一方の端部を抜き差し可能に嵌合する第２支柱部分３には、この一方の端部に閉鎖部６を設ける。第２支柱部分３の閉鎖部６には円柱状の軸体７を固着する。
【００１８】
この軸体７は、第２支柱部分３の端部における閉鎖部６に固着する固着部８、固着部とは反対側の端部におけるねじ軌条部９、および固着部８とねじ軌条部９との間で半径方向外方に突出する中間フランジ１０を有する中間ねじ無し部１１を有する。図示の実施形態では、第２支柱部分３の端部における閉鎖部６にねじ孔を設け、軸体７の固着部８には雄ねじ部を設け、ねじ連結によって固着するが、代案としてまたは付加的に、他の手段によっても固着することができる。
【００１９】
軸体７の中間ねじ無し部１１には、テーパ付きの外面１２Ａを有するスリーブ１２を、軸体の固着部８側の端部から中間フランジ１０に向かって遊嵌する。この状態で軸体７を第２支柱部分３の閉鎖部６に固着するとき、スリーブ１２は軸体７の中間フランジ１０と第２支柱部分３の端面３Ａとの間で、軸体７の周りに回転可能であるが軸線方向の移動を規制される。
【００２０】
軸体７のねじ軌条部９には作用ナット１３を螺合する。この作用ナット１３には、軸体７におけるねじ軌条部９の遊端側の端部に、図４に示すように、第１支柱部分２の異形内面に相似形の外面を有して第１支柱部分の内面に対し僅かなクリアランスで嵌合する拡大ヘッド１４を設け、また軸体７における中間フランジ１０に対面する側の端部に拡大ヘッドよりも小径の半径方向に突出するナットフランジ１５を設ける。
【００２１】
第１支柱部分２の内部に、スリーブ１２および作用ナット１３の相互に係合する複数個の分割グリップ細条１６を周方向に互いに離して設ける。図示の実施形態では、２個の分割グリップ細条１６を直径方向に互いに対向させて設ける。各分割グリップ細条１６には、作用ナット１３の拡大ヘッド１４とナットフランジ１５との間の環状窪み１７に嵌合する内向きフランジ１８を設ける。
【００２２】
各分割グリップ細条１６における、少なくとも両側の端部の外面には、図５に示すように、第１支柱部分２の異形内面に適合し、異形内面の円弧弦部分４および円弧状部分５の双方の一部に跨がる形状の外側輪郭を設け、内向きフランジ１８とは反対側の端部の内面がスリーブ１２のテーパ付きの外面１２Ａに対して摺動係合する。
【００２３】
このような構成により、第１支柱部分２と第２支柱部分３の任意の伸縮位置で、第１支柱部分２に対して第２支柱部分３をロック方向に相対回転することにより、第１支柱部分２の内部で回転を規制された作用ナット１３が、第２支柱部分３の端部に固着した軸体７のねじ軌条部９に沿ってスリーブ１２の方向に並進移動し、この並進移動の際に作用ナット１３の拡大ヘッド１４が分割グリップ細条１６をスリーブ１２のテーパ付き外面１２Ａの拡開方向に押圧するため、分割グリップ細条１６が半径方向外方に拡開して第１支柱部分２の内面に圧着し、この任意の伸縮位置で第１支柱部分２および第２支柱部分３をロックする。
【００２４】
ロックを解除するためには、第１支柱部分２および第２支柱部分３を互いに引き離す方向に力を加えつつ（このとき、作用ナット１３に対して、互いに強固に密着した分割グリップ細条１６の内向きフランジ１８が作用ナットの窪み１７内で移動するとともに、スリーブ１２は、分割グリップ細条１６の内面との接触面積が少なくなる軸線方向外方に移動し、分割グリップ細条１６の半径方向外方への拡開量が減少する）、ロック方向とは反対方向に相対回転させると、作用ナット１３が軸体７のねじ軌条部９の先端方向に並進移動する。この後、作用ナット１３のナットフランジ１５が、分割グリップ細条１６の内向きフランジ１８に係合して分割グリップ細条１６をスリーブ１２から引き離す方向に移動し、これにより、分割グリップ細条１６の第１支柱部分２の内面に対する圧着が解消し、ロックが解除される。ねじ軌条部９の先端には、作用ナット１３が抜けるのを阻止するストッパ座金１９を取り付ける。
【００２５】
軸体７のねじ軌条部９に沿う作用ナット１３の並進移動を迅速かつ円滑にするため、ねじ軌条部９は４条〜８条の複数軌条ねじとすると好適である。
【００２６】
さらに、図示の実施形態では、１対の第１支柱部分２および第２支柱部分３のみを示し、第１支柱部分２の両側の端部を開放端部として示したが、第１支柱部分２一方の端部を、第２支柱部分３の閉鎖部６を有する同様の閉鎖端部とし、第２支柱部分３の内面も、少なくとも部分的に第１支柱部分と同様の異形内面を設けることにより、それぞれ長さが長い支柱部分を使用することなく、複数対を順次継ぎ足して、長い伸縮ポールにすることができる。
【００２７】
つぎに、図６〜１０につき、本発明による好適な第２の実施形態の伸縮ポール２１を説明する。この第２実施形態における伸縮ポール２１は、図６，７に明示するように、分割グリップ細条３６を３個設け、さらに、これら３個の分割グリップ細条３６がポールの軸線方向にのみ摺動し、第１支柱部分２内でポール軸線の周りにこの第１支柱部分２に対して相対回転するのを防止するための填隙部材４６を隣接する分割グリップ細条３６間に介在させた点で、第１実施形態とは異なる。また第１支柱部分２の端部２２には端部キャップ２３を止めねじ２４により固定する。さらに、作用ナット１３における周方向に連続した第１実施形態におけるナットフランジ１５は、不連続な突起２５として設ける。この突起２５に係合可能な内向きフランジ３８を各分割グリップ細条３６に設ける。図３には示さなかったが、Ｅ形止め輪２０でストッパ座金１９を固定する。
【００２８】
第１支柱部分２に対して一方の端部を抜き差し可能に嵌合する第２支柱部分３には、この一方の端部に閉鎖部２６を設ける。この閉鎖部２６は、第１実施形態では第２支柱部分３に対して一体構成として示したが、第２実施形態では別体構成とし、ピン２７により第２支柱部分３に固着するとともに、軸体７の固着部８にも固着する。第２支柱部分３の閉鎖部６には円柱状の軸体７を固着する。また閉鎖部２６にはストッパカラー２８を固着する。第１支柱部分２に固着した端部キャップ２３と、第２支柱部分３に固着したストッパカラー２８との係合により第１支柱部分２と第２支柱部分３とが互いに解離するのを防止する。
【００２９】
スリーブ１２と閉鎖部２６との間には、乾式自己潤滑タイプのスラストワッシャ２９を配置し、軸体７の中間フランジ１０と、テーパ付きの外面１２Ａを有するスリーブ１２との間に、やはり、乾式自己潤滑タイプのスラストワッシャ３０，３１を配置する。
【００３０】
以下に図８〜１０につき、ロック解除状態から、締め付け中間段階を経てロックッ状態に至る過程およびその逆の過程を説明する。図８〜１０は、伸縮ポール２１を水平状態にして示すが、実際には、第２支柱部分３を上向きにして使用する。
【００３１】
図８に示すロック解除状態では、軸体７のねじ軌条部９に螺合する作用ナット１３は対してストッパ座金１９に圧着するまで第１支柱部分２内で摺動しており、また第１支柱部分２内で軸線方向移動がフリーな状態となっている分割グリップ細条３６および填隙部材４６は、重力によって作用ナット１３の拡大ヘッド１４に圧着している。
【００３２】
この状態で、作業員が第２支柱部分３を第１支柱部分２に対して時計方向に回転すると、図９に示すように、作用ナット１３は第１支柱部分２内で摺動してねじ軌条部９に沿って軸体７に対して右方（実際は上方）に移動する。このとき、作用ナット１３は、分割グリップ細条３６をスリーブ１２の右方（実際は上方）に向かって拡大するテーパ付きの外面１２Ａ上に押し上げる。このとき、第２支柱部分３、ひいては軸体７の回転は、軸体７上に嵌挿しているスリーブ１２と軸端閉鎖部６との間およびスリーブと中間フランジ１０との間における乾式自己潤滑タイプのスラストワッシャ２９および３０，３１が介在するため、スリーブ１２には伝達されずにスリーブ１２は軸体７に対して相対回転することがなく、したがって、分割グリップ細条３６はスリーブ１２の右方（実際は上方）にスムーズに移動する。このように分割グリップ細条３６がスリーブ１２の右方（実際は上方）に向かって拡大するテーパ付きの外面１２Ａ上に乗り上がることによって、分割グリップ細条３６が第１支柱部分２の内面とスリーブ１２の外面との間に緊密にクランプされ、固定力を発生する。
【００３３】
この状態で、第２支柱部分３の第１支柱部分２に対する締め込み回転を止めると、第２支柱部分３自体の自重および第２支柱部分３に載置するテントまたは偽装材の重量による荷重が作用して、第１支柱部分２に対して、第２支柱部分３は第１支柱部分２内にクランプした分割グリップ細条３６を置き去りにし、この第２支柱部分３に取り付けた作用ナット１３、軸体７、スリーブ１２を伴って若干左方（実際は下方）に落ち込み、これにより、分割グリップ細条３６は一層緊密に第１支柱部分２の内面とスリーブ１２の外面との間にクランプされ、図１０に示すロック状態となる。
【００３４】
図１０に示すロック状態を解除するためには、作業員は、第２支柱部分３を第１支柱部分２に対してロックを解除する方向（反時計方向）に回転する。このとき、作用ナット１３の突起が、分割グリップ細条３６の内向きフランジ３８に係合し、作用ナット１３は第１支柱部分２内で軸体７のねじ軌条部９に沿って左方（実際は下方）に移動し、分割グリップ細条３６をスリーブ１２から引き離す方向に移動する。これにより、分割グリップ細条３６はクランプ状態から解放され、フリーな状態となり、ロック状態が解除された図８に示す状態となる。
【産業上の利用可能性】
【００３５】
本発明伸縮ポールは、例えば、偽装材の取り付けまたはテントの展張における支柱として利用することができる。
【符号の説明】
【００３６】
１  伸縮ポール
２  第１支柱部分
３  第２支柱部分
３Ａ  端面
４  円弧弦部分
５  円弧状部分
６  閉鎖部
７  軸体
８  固着部
９  ねじ軌条部
１０  中間フランジ
１１  中間ねじ無し部
１２    スリーブ
１２Ａ  テーパ付きの外面
１３  作用ナット
１４  拡大ヘッド１４
１５  ナットフランジ
１６  分割グリップ細条
１７  環状窪み
１８  内向きフランジ
１９  ストッパ座金
２０  Ｅ形止め輪２０
２１  伸縮ポール
２２  第１支柱部分２の端部２２
２３  端部キャップ
２４  止めねじ
２５  突起
２６  閉鎖部
２７  ピン
２８  ストッパカラー
２９  乾式自己潤滑タイプのスラストワッシャ
３０  乾式自己潤滑タイプのスラストワッシャ
３１  乾式自己潤滑タイプのスラストワッシャ
３６  分割グリップ細条
４６  填隙部材
【図１】
2011169412.tif 000003
【図２】
2011169412.tif 000004
【図３】
2011169412.tif 000005
【図４】
2011169412.tif 000006
【図５】
2011169412.tif 000007
【図６】
2011169412.tif 000008
【図７】
2011169412.tif 000009
【図８】
2011169412.tif 000010
【図９】
2011169412.tif 000011
【図１０】
2011169412.tif 000012